【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
熱電併給（ＣＨＰ）システムであって、
電力を生成するように構成された発電機と、
前記発電機によって生成された電力を蓄え、かつ放電するように構成された蓄電装置と、
前記発電機からの排気を受け取るように構成された排気導管と、
前記排気導管と熱的に連通して配置され、排気からの熱を流体に移送することによって流体を加熱するように構成された廃熱回収ユニット（ＷＨＲＵ）と、
前記ＷＨＲＵによって加熱された流体を蓄えるように構成されたタンクと、
前記ＷＨＲＵと前記タンクとの間で流体を循環させるように構成された移送導管と、
排気から回収された熱を使用して液体二酸化炭素を蒸発させるように構成された蒸発器と、
前記ＣＨＰシステムを動作させるように構成されたコントローラと、
を備え、
前記蒸発器は、排気が前記発電機から前記排気導管を通って流れる方向に対して、前記ＷＨＲＵから下流の前記排気導管と熱的に連通して配置され、又は、前記蒸発器は、前記移送導管と熱的に連通して配置され、流体から熱を回収するように構成され、
第１のモードで、前記ＣＨＰシステムに加えられた電気負荷が前記発電機の全電力出力に実質的に等しく、かつ外部プロセスが前記ＷＨＲＵによって移送される熱の実質的に全てを必要とする場合に、前記コントローラが、前記発電機をフルパワーで動作させ、前記発電機の全電力出力を外部負荷に加え、かつ加熱された流体の実質的に全てを外部プロセスに供給するように構成され、
第２のモードで、前記ＣＨＰシステムに加えられた電気負荷が前記発電機の全電力出力未満であり、かつ外部プロセスが前記ＷＨＲＵによって移送される熱の実質的に全てを必要とする場合に、前記コントローラが、前記発電機をフルパワーで動作させ、前記発電機の超過電力出力を前記蓄電装置に蓄え、かつ加熱された流体の実質的に全てを外部プロセスに供給するように構成され、
第３のモードで、前記ＣＨＰシステムに加えられた電気負荷が前記発電機の全電力出力を超え、かつ外部プロセスが流体に移送される熱の全て未満の熱を必要とする場合に、前記コントローラが、前記発電機をフルパワーで動作させ、前記発電機の全電力出力を外部負荷に加え、前記蓄電装置からの電力出力で前記発電機の電力出力を補い、かつ外部熱的プロセス要件を超えて加熱された流体を前記タンクに蓄えるように構成される熱電併給（ＣＨＰ）システム。
【請求項２】
請求項１記載のＣＨＰシステムにおいて、
前記蒸発器が、シェルアンドフィン付きチューブ空気／流体熱交換構造を備えるＣＨＰシステム。
【請求項３】
請求項１記載のＣＨＰシステムにおいて、
前記蒸発器が、プレートおよびフレームまたはブロンズプレート流体／流体熱交換構造を備えるＣＨＰシステム。
【請求項４】
請求項１記載のＣＨＰシステムにおいて、
前記発電機によって生成された電力の少なくとも一部を用いて流体を加熱するように構成された電気ヒータをさらに備え、
前記電気ヒータは、前記ＣＨＰシステムに加えられた電気負荷の需要電力が前記発電機によって生成される出力電力未満である場合に動作するように構成されるＣＨＰシステム。
【請求項５】
請求項１記載のＣＨＰシステムにおいて、
前記蒸発器と流体連通して配置された液体二酸化炭素源をさらに備えるＣＨＰシステム。
【請求項６】
請求項１記載のＣＨＰシステムにおいて、
前記排気導管に熱を提供するように構成されたバーナをさらに備えるＣＨＰシステム。
【請求項７】
請求項１記載のＣＨＰシステムにおいて、
前記発電機が、ガスタービンまたは往復動エンジンを備えるＣＨＰシステム。
【請求項８】
請求項１記載のＣＨＰシステムにおいて、
前記蓄電装置が、バッテリ、ウルトラキャパシタ、または動力貯蔵デバイスを備えるＣＨＰシステム。
【請求項９】
請求項１記載のＣＨＰシステムにおいて、
前記発電機と前記ＷＨＲＵとの間の前記排気導管上に配置されたバルブと、
前記バルブに接続された補助排気導管と、
前記タンク内の流体が前記タンクの最大動作温度に近づいたときに、排気が前記補助排気導管内に迂回されるように、前記バルブを動作させるように構成されたコントローラと、
をさらに備えるＣＨＰシステム。
【請求項１０】
請求項１記載のＣＨＰシステムにおいて、
前記移送導管内の流体を循環させるように構成されたポンプまたはバルブをさらに備えるＣＨＰシステム。
【請求項１１】
請求項１記載のＣＨＰシステムにおいて、
前記蓄電装置に電気的に接続された電気ヒータをさらに備え、
前記電気ヒータは、前記発電機が動作していないときに、前記蓄電装置からの電力を使用して前記タンクまたは前記移送導管を加熱するように構成されるＣＨＰシステム。
【請求項１２】
電力および排気を生成するように構成された電気発電機と、排気から流体に熱を移送する廃熱回収ユニット（ＷＨＲＵ）と、流体を蓄えるように構成されたタンクと、蓄電装置と、を備える熱電併給（ＣＨＰ）システムを動作させる方法であって、
前記ＣＨＰシステムに加えられた電気負荷が前記発電機の全電力出力に実質的に等しく、かつ外部プロセスが前記ＷＨＲＵによって移送される熱の実質的に全てを必要とする場合に、前記ＣＨＰシステムを第１のモードで動作させるステップであって、前記第１のモードが、
前記発電機をフルパワーで動作させることと、
前記発電機の全電力出力を外部負荷に加えることと、
排気からの熱を流体に移送することと、
加熱された流体の実質的に全てを外部プロセスに供給することと、を含む、前記ＣＨＰシステムを第１のモードで動作させるステップと、
前記ＣＨＰシステムに加えられた電気負荷が前記発電機の全電力出力未満であり、かつ外部プロセスが前記ＷＨＲＵによって移送される熱の実質的に全てを必要とする場合に、前記ＣＨＰシステムを第２のモードで動作させるステップであって、前記第２のモードが、
前記発電機をフルパワーで動作させることと、
前記発電機の電力出力の一部を負荷に加えることと、
前記発電機の電力出力の超過量を前記蓄電装置に蓄えることと、
排気からの熱を流体に移送することと、
加熱された流体の実質的に全てを外部プロセスに供給することと、を含む、前記ＣＨＰシステムを第２のモードで動作させるステップと、
前記ＣＨＰシステムに加えられた電気負荷が前記発電機の最大電力出力に実質的に等しいか、またはそれを超え、かつ外部プロセスが流体に移送される熱の全て未満の熱を必要とする場合に、前記ＣＨＰシステムを第３のモードで動作させることであって、前記第３のモードが、
前記発電機をフルパワーで動作させることと、
前記発電機の全電力出力を負荷に加えることと、
前記蓄電装置に蓄えられた電力を負荷に加えることと、
排気からの熱を流体に移送することと、
加熱された流体の一部を外部プロセスに供給することと、
加熱された流体の残りを前記タンクに蓄えることと、を含む、前記ＣＨＰシステムを第３のモードで動作させるステップと、
を含む方法。
【請求項１３】
請求項１２記載の方法において、
前記第２のモードは、前記蓄電装置が完全に充電された後に前記発電機の電力出力を低減することをさらに含む方法。
【請求項１４】
請求項１２記載の方法において、
前記第３のモードは、前記タンクが最大動作温度に近づいたときに流体への熱の移送を停止することをさらに含む方法。
【請求項１５】
請求項１４記載の方法において、
前記流体への熱の移送を停止することは、排気を前記ＷＨＲＵから迂回させるか、または前記ＷＨＲＵを通る流体の流れを停止させることを含む方法。
【請求項１６】
請求項１２記載の方法において、
流体または排気からの熱を移送して、液体二酸化炭素を蒸発させるステップをさらに含む方法。
【請求項１７】
請求項１２記載の方法において、
流体が、廃水を含み、
前記排気からの熱を流体に移送することは、廃水を低温殺菌することを含む方法。